(57)【要約】      （修正有）【課題】比較的簡単な構造であって低コストで製作でき、見栄えもよく、断面円形、楕円形等の紙箱に好適な紙箱の蓋部構造を提供する。【解決手段】箱本体の周壁５上端に端縁を内向きにカールさせた上縁カール部９を形成し、その下に箱本体内断面形状に等しく中央部に開口を設けた蓋止めパット７をその周縁を上縁カール部下側に接触させた状態で接着固定する。蓋３は上縁カール部９の開口より僅かに大きく、箱本体の内断面より僅かに小さい平板形状とし、周縁が上縁カール部と蓋止めパット間の僅かな窪みに嵌まり込んだ状態で係止するよう形成する。蓋の周縁に内側に向けた切り込みを入れて切り起こし舌片１０を設け、箱本体に取り付けた状態で切り起こし舌片１０の先端が上縁カール部９の上側をカール部の外側にまで延出する長さとする。【選択図】図２
0003176851.tif 000002
【実用新案登録請求の範囲】
【請求項１】
紙箱の上部開口を塞ぐ蓋部構造であって、箱本体の周壁上縁には端縁を内向きにカールさせた上縁カール部が形成され、該上縁カール部の下には箱本体内断面形状に等しく中央部に開口を設けた蓋止めパットが周縁を上縁カール部下側に接触させた状態で接着固定されており、
箱本体の開口を塞ぐ蓋は前記上縁カール部の開口より僅かに大きく、箱本体の内断面より僅かに小さい平板状で周縁が上縁カール部と蓋止めパット間の僅かな窪みに嵌まり込んだ状態で係止するよう形成され、蓋の一周縁からは内側に向けた切り込みを入れて切り起こし舌片が設けられ、該切り起こし舌片は蓋を箱本体に取り付けた状態では先端が前記上縁カール部の上側をカール部の外側にまで延出する形状に形成されていることを特徴とする紙箱の蓋部構造。
【請求項２】
請求項１に記載の紙箱の蓋部構造において、前記蓋は前記切り起こし舌片に対抗する反対側縁部の下面が前記蓋止めパットの上面に接着固定されていることを特徴とする紙箱の蓋部構造。
【考案の詳細な説明】
【技術分野】
【０００１】
本考案は、紙箱の上部開口を塞ぐ蓋部の構造に関し、特には断面が円形、楕円形、その他の複雑な形状の紙箱に好適な蓋部の構造に関する。
【背景技術】
【０００２】
紙箱、紙容器の上部開口を塞ぐ蓋部の構造に関しては、箱身と蓋を中央の折返壁を挟んで一体形成し、蓋開口を折り返して箱身に被せるＢ式紙箱と呼ばれる箱の方式、箱身と蓋を別体に形成して箱身に蓋を被せるＣ式紙箱と呼ばれる箱の方式などがある。しかし、断面が円形、楕円形の場合にはＢ式紙箱の方式は採用が難しい。Ｃ式紙箱の方式は断面が円形、楕円形の箱にも適用可能であるが、これにも問題がある。
【０００３】
図８は箱身と蓋を別体に形成した円形断面のＣ式紙箱の断面図の例である（特許文献１参照）。この紙箱５０は、上方が開口した箱本体５１と上方開口を塞ぐ蓋体５２からなり、箱本体５１は円盤状底板５３の周囲に円筒状周壁５４を固定して形成され、円筒状周壁５４の上端縁には端縁を外向きにカールさせたカール部５５が形成されている。蓋体５２も円盤状の天板５６の周囲に円筒状周壁５７を固定して構成されている。天板５６が固定される側の周壁端縁には端縁を内向きにカールさせたカール部５９が形成され、天板５６は周縁をカール部５９に接着して固定されている。このような構造の蓋は見栄えはよいが、蓋体５２の製作に手間がかかってコストアップになる問題がある。
【先行技術文献】
【特許文献】
【０００４】
【特許文献１】特開２０１１−８８６６４号公報
【考案の開示】
【考案が解決しようとする課題】
【０００５】
本考案は、従来技術のこうした問題点を解決するためになされたもので、その課題は比較的簡単な構造であって低コストで製作でき、見栄えもよく、断面が円形、楕円形、その他の複雑な形状の紙箱に好適な紙箱の蓋部構造を提供することにある。
【課題を解決するための手段】
【０００６】
前記課題を解決するための請求項１に記載の考案は、紙箱の上部開口を塞ぐ蓋部構造であって、箱本体の周壁上縁には端縁を内向きにカールさせた上縁カール部が形成され、該上縁カール部の下には箱本体内断面形状に等しく中央部に開口を設けた蓋止めパットが周縁を上縁カール部下側に接触させた状態で接着固定されており、箱本体の開口を塞ぐ蓋は上縁カール部の開口より僅かに大きく、箱本体の内断面より僅かに小さい平板状で周縁が上縁カール部と蓋止めパット間の僅かな窪みに嵌まり込んだ状態で係止するよう形成され、蓋の一周縁からは内側に向けた切り込みを入れて切り起こし舌片が設けられ、該切り起こし舌片は蓋を箱本体に取り付けた状態では先端が上縁カール部の上側をカール部の外側にまで延出する形状に形成されていることを特徴とする紙箱の蓋部構造である。
【０００７】
このような構成の蓋部構造は従来の被せ蓋式の蓋部構造に比べて構造が簡単であり低コストで製作できる利点を有する。切り起こし舌片の先端部を花形、蝶形等にして見栄えよくすることもできる。
【０００８】
また、請求項２に記載の考案は、請求項１に記載の紙箱の蓋部構造において、蓋は切り起こし舌片に対抗する反対側縁部の下面が蓋止めパットの上面に接着固定されていることを特徴とする紙箱の蓋部構造である。
【０００９】
このような構成の蓋部構造も従来の被せ蓋式の蓋部構造に比べて構造が簡単であり低コストで製作できる利点を有する。切り起こし舌片の先端部を花形、蝶形等にして見栄えよくすることもできる。
【図面の簡単な説明】
【００１０】
【図１】第１の実施形態に係る蓋部構造を採用した紙箱１の外観斜視図である。
【図２】紙箱１の分解斜視図である。
【図３】紙箱１の平面図である。
【図４】平面図のＡ−Ａ線に沿った紙箱１の断面図である。
【図５】平面図のＢ−Ｂ線に沿った紙箱１の断面図である。
【図６】第２の実施形態に係る紙箱１ａの平面図である。
【図７】平面図のＣ−Ｃ線に沿った紙箱１ａの断面図である。
【図８】従来の円形断面のＣ式紙箱の断面図の例である。
【考案を実施するための形態】
【００１１】
以下、紙箱の上部開口を塞ぐ本考案の蓋部構造の構成例を実施形態に分けて説明する。
（第１の実施形態）
図１は第１の実施形態に係る蓋部構造を採用した円筒状紙箱１の外観斜視図、図２はその分解斜視図、図３は紙箱１の平面図、図４は平面図のＡ−Ａ線に沿った紙箱１の断面図、図５は平面図のＢ−Ｂ線に沿った断面図である。紙箱１は断面円形の箱本体２とその上部開口を塞ぐ円盤状蓋３とから構成される。
【００１２】
箱本体２は図２に示す胴部材５、底部材６、蓋止めパット７から構成される。胴部材５は長方形ブランクを丸め、両側端縁を重ね合わせ、接着固定して円筒状に形成してある。胴部材５の下縁には、図４、図５に示すように端縁を内向きにカールさせた下縁カール部８が形成されている。底部材６は箱本体２の内径に等しい外径の円盤状に形成され、周縁部は下縁カール部８の上側に接触させた状態で接着固定されている。
【００１３】
胴部材５の上縁にも端縁も内向きにカールさせた上縁カール部９が形成されている。箱本体２の上方開口部には、外径が箱本体２の内径に等しいドーナツ円盤状の蓋止めパット７が周縁部を上縁カール部９の下側に接触させた状態で接着固定されている。
【００１４】
蓋３は、外径が上縁カール部９の開口径より僅かに大きく、箱本体２の内径より僅かに小さい円盤状に形成されている。その周縁部が上縁カール部９と蓋止めパット７間の僅かな窪みに嵌まり込んだ状態で係止して箱本体２の上方開口部を塞ぐ。更に、蓋３の一周縁には内側に向けた切り込みを入れて切り起こし舌片１０が設けてある。その舌片先端は蓋３を箱本体２に取り付けた状態では上縁カール部９の上側をカール部の外側にまで延出する長さに形成してある。箱本体２に取り付けられた蓋３の取り外しは切り起こし舌片１０の端を上方に引っ張ることで行なう。
【００１５】
このような構成の蓋部構造は従来の被せ蓋式の蓋部構造に比べて構造が簡単であり低コストで製作できる利点を有する。切り起こし舌片の先端部を花形、蝶形等にして見栄えよくすることもできる。
なお、上記実施形態では箱本体２の断面を円形としたが、本考案の蓋部構造は断面が楕円形、多角形、動物やキャラクター等の複雑な形状の場合にも適用可能である。
【００１６】
（第２の実施形態）
図６は第２の実施形態に係る紙箱１ａの平面図、図７は平面図のＣ−Ｃ線に沿った紙箱１ａの断面図である。第１の実施形態の紙箱１では蓋３を取り外し式としたが、本実施形態では蓋３を開閉式にしている。開閉式にするため切り起こし舌片１０に対抗する反対側縁部１２（図６の斜線部分）の下面は蓋止めパット７の上面に接着固定してある。蓋３は切り起こし舌片１０の端を指で持ち上げて開く。
【００１７】
このような構成の蓋部構造も従来の被せ蓋式の蓋部構造に比べて構造が簡単であり低コストで製作できる利点を有する。切り起こし舌片の先端部を花形、蝶形等にして見栄えよくすることもできる。
なお、本実施形態では箱本体２の断面を円形としたが、断面が楕円形、多角形、動物やキャラクター等の複雑な形状の場合にも適用可能である。
【符号の説明】
【００１８】
図面中、１は紙箱、２は箱本体、３は蓋、５は周壁（胴部材）、６は底部材、７は蓋止めパット、９は上縁カール部、１０は切り起こし舌片を示す。
【図１】
0003176851.tif 000003
【図２】
0003176851.tif 000004
【図３】
0003176851.tif 000005
【図４】
0003176851.tif 000006
【図５】
0003176851.tif 000007
【図６】
0003176851.tif 000008
【図７】
0003176851.tif 000009
【図８】
0003176851.tif 000010